(57)【要約】【課題】屋根の縁が傾斜する側の外壁に取り付けられる軒天換気材の設置角度が様々であっても、この様々な設置角度に対応して、建物のコーナー部において各軒天換気材の端部に取り付けることが可能なコーナー用カバー部材を提供する。【解決手段】上記課題を解決するために、建物の外壁と軒との間に設置されて小屋裏の換気を行うための軒天換気材２００の端部同士を建物の外壁のコーナー部において連結するための軒天換気材のコーナー用カバー部材１００であって、水平に設置される軒天換気材２００の端部を受け入れる第１の受け口１０１と、第１の受け口１０１と口向きが交差し、傾斜させて設置される軒天換気材２００の端部を受け入れる第２の受け口１０２と、を備える。第２の受け口１０２には、軒天換気材２００の端部に挿入され、受け入れ角度を調整可能にして軒天換気材２００を支持する角度調整舌部１０３が設けられている。【選択図】図１A
2014181542.tif 000002
【特許請求の範囲】
【請求項１】
建物の外壁と軒との間に設置されて小屋裏の換気を行うための軒天換気材の端部同士を前記建物の外壁のコーナー部において連結するための軒天換気材のコーナー用カバー部材であって、
水平に設置される前記軒天換気材の端部を受け入れる第１の受け口と、
前記第１の受け口と口向きが交差し、傾斜させて設置される前記軒天換気材の端部を受け入れる第２の受け口と、を備え、
前記第２の受け口には、前記軒天換気材の端部に挿入され、受け入れ角度を調整可能に、前記軒天換気材を支持する角度調整舌部が設けられている、
コーナー用カバー部材。
【請求項２】
前記角度調整舌部は、その中途位置で屈曲している、
請求項１に記載のコーナー用カバー部材。
【請求項３】
前記第１の受け口には、前記軒天換気材の端部の下面を支持する下面部と、前記軒天換気材の端部の上面を支持する上面部とが設けられ、
前記第２の受け口には、前記角度調整舌部と対向し、前記軒天換気材の端部の上面又は下面を支持する支持面部が設けられている、
請求項１又は２に記載のコーナー用カバー部材。
【請求項４】
前記軒天換気材の端縁に当接することで、他の軒天換気材の端部と衝突しない所定の位置を超えて前記軒天換気材が挿入されることを規制するストッパ部が設けられている、
請求項１から３の何れかに記載のコーナー用カバー部材。
【請求項５】
１枚の金属板を屈曲させてなる、
請求項１から４の何れかに記載のコーナー用カバー部材。
【発明の詳細な説明】
【技術分野】
【０００１】
本発明は、建物の外壁と軒との間に設置されて小屋裏の換気を行うための軒天換気材の端部同士を、建物の外壁のコーナー部において連結するための軒天換気材のコーナー用カバー部材に関する。
【背景技術】
【０００２】
従来、木造住宅等の建物の小屋裏の湿気や熱気を排出するために、小屋裏の換気を行うための軒天換気材を建物の外壁と軒との間に設置することは一般的に行われている。このような軒天換気材は、例えば、特許文献１等に開示されているように、長細く形成された本体の底面等に複数の通気孔が設けられて構成される。
【０００３】
近年、我が国の住宅事情により、軒の出の小さい建物が増えてきており、通気孔の面積を大きく確保し難くなっている。このような事情から、建物の外壁に沿って、建物の全周に軒天換気材を設置し、これによって、小屋裏の換気効率を良くすることが行われている。このような場合には、屋根の縁が傾斜する側の外壁に設置される軒天換気材と、屋根の縁が水平に延びる側の外壁に設置される軒天換気材とがあるが、前者は屋根の縁の傾斜に合わせて傾斜して設置され、後者は屋根の縁と同様に水平に設置される。従って、建物のコーナー部（入隅、出隅）では、傾斜して設置された軒天換気材の端部と、水平に設置された軒天換気材の端部とが互いに突き合うように配置されることになる。この軒天換気材の端部が互いに突き合う箇所には、この箇所の外観を良くするために、これらの軒天換気材の設置角度に応じたカバー部材が被せられて、これらの軒天換気材の端部同士が連結される。
【先行技術文献】
【特許文献】
【０００４】
【特許文献１】特開２００６−１４４４９６号公報
【発明の概要】
【発明が解決しようとする課題】
【０００５】
しかしながら、建物の屋根の縁の傾斜角度には様々なものがあるため、屋根の縁が傾斜する側の外壁に設置される軒天換気材の設置角度も様々なものとなり、この軒天換気材の設置角度に応じて、施工者は、その都度（施工の都度）、カバー部材を製作する必要があった。このため、施工者には、カバー部材の製作のための手間が大変かかり、これによって、軒天換気材の端部が突き合う箇所にカバー部材を被せる処理に手間がかかっていた。
【０００６】
そこで、本発明の課題は、上記の問題を解決するために、屋根の縁が傾斜する側の外壁に取り付けられる軒天換気材の設置角度が様々であっても、この様々な設置角度に対応して、建物のコーナー部において各軒天換気材の端部に取り付けることが可能なコーナー用カバー部材を提供することである。
【課題を解決するための手段】
【０００７】
（１）上記課題を解決するために、本発明は、建物の外壁と軒との間に設置されて小屋裏の換気を行うための軒天換気材の端部同士を建物の外壁のコーナー部において連結するための軒天換気材のコーナー用カバー部材であって、水平に設置される前記軒天換気材の端部を受け入れる第１の受け口と、第１の受け口と口向きが交差し、傾斜させて設置される軒天換気材の端部を受け入れる第２の受け口と、を備え、第２の受け口には、軒天換気材の端部に挿入され、受け入れ角度を調整可能に軒天換気材を支持する角度調整舌部が設けられている。
【０００８】
上記構成によれば、第１の受け口と第２の受け口とは、口向きが交差している。このため、第１の受け口で、水平に設置される軒天換気材の端部を受け入れながら、第２の受け口で、屋根の縁の傾斜に応じて傾斜して設置される軒天換気材の端部を受け入れることができる。これによって、建物のコーナー部において、屋根の縁が傾斜する側の外壁に取り付けられる軒天換気材と屋根の縁が水平に延びる側の外壁に取り付けられる軒天換気材とを、コーナー用カバー部材によって連結させることができる。更に、第２の受け口には、軒天換気材の受け入れ角度を調整可能な角度調整舌部が設けられており、傾斜して設置される軒天換気材の端部に角度調整舌部が挿入されることで、受け入れ角度を調整可能に、軒天換気材が支持される。このため、屋根の縁が傾斜する側の外壁に設置される軒天換気材の設置角度が様々であっても、この様々な設置角度に対応して、コーナー用カバー部材を、建物のコーナー部において各軒天換気材の端部に取り付けることができる。
【０００９】
（２）上記角度調整舌部は、その中途位置で屈曲していてもよい。
【００１０】
上記構成によれば、角度調整舌部における根元から中途位置までの部位（第１部分）と中途位置から先端までの部位（第２部分）とで、角度（水平面との間の角度）が異なる。これによって、軒天換気材の設置角度（水平面との間の角度）が所定の角度を超えるまでは、第１部分で軒天換気材の端部を支持し、軒天換気材の設置角度が所定の角度を超えてからは、第２部分で軒天換気材の端部を支持することができる。これによって、角度調整舌部が軒天換気材の受け入れ角度を調整できる範囲をより広げることが可能になる。これによって、コーナー用カバー部材を取り付けることができる、軒天換気材の設置角度の範囲をより広げることができる。
【００１１】
（３）上記第１の受け口には、上記軒天換気材の端部の下面を支持する下面部と、上記軒天換気材の端部の上面を支持する上面部とが設けられてもよい。また、上記第２の受け口には、上記角度調整舌部と対向し、上記軒天換気材の端部の上面又は下面を支持する支持面部が設けられていてもよい。
【００１２】
上記構成によれば、第１の受け口において、下面部と上面部とで軒天換気材の端部を上方向及び下方向の両方から支持することができ、これによって、水平に設置される軒天換気材の端部を安定して支持することができる。また、第２の受け口において、軒天換気材の端部に角度調整舌部を挿入し、かつ、この角度調整舌部と対向する支持面部によって軒天換気材の端部の上面又は下面を支持することで、軒天換気材の受け入れ角度を調整可能でありながら、軒天換気材の端部を安定して支持することができる。
【００１３】
（４）上記軒天換気材の端縁に当接することで、他の軒天換気材の端部と衝突しない所定の位置を超えて上記軒天換気材が挿入されることを規制するストッパ部が設けられていてもよい。
【００１４】
上記構成によれば、ストッパ部が設けられているため、このストッパ部によって、他の軒天換気材の端部と衝突しない所定の位置を超えて上記軒天換気材が挿入されることが規制され、これによって、第１の受け口から挿入された軒天換気材の端部と、第２の受け口から挿入された軒天換気材の端部とを衝突させないことができる。このため、軒天換気材にコーナー用カバー部材を取り付ける取付け作業の際に、この軒天換気材の受け入れ領域に他の軒天換気材の端部が入り込むことで、取付け作業が妨げられることが防止される。
【００１５】
（５）上記コーナー用カバー部材は、１枚の金属板を屈曲させてなってもよい。
【００１６】
上記構成によれば、コーナー用カバー部材を製造容易に、かつ低コストで製造することができる。
【発明の効果】
【００１７】
上記構成によれば、屋根の縁が傾斜する側の外壁に取り付けられる軒天換気材の設置角度が様々であっても、この様々な設置角度に対応して、建物のコーナー部において各軒天換気材の端部に取り付けることが可能なコーナー用カバー部材を提供することができる。これによって、軒天換気材の端部が突き合う箇所にカバー部材を被せる処理に要する施工者の手間を軽減することができる。
【図面の簡単な説明】
【００１８】
【図１Ａ】第１実施形態にかかるコーナー用カバー部材と、このコーナー用カバー部材が取り付けられる軒天換気材との斜視図である。
【図１Ｂ】傾斜して設置される軒天換気材に第１実施形態にかかるコーナー用カバー部材を取り付けた状態を示す図である。
【図１Ｃ】水平に設置される軒天換気材に第１実施形態にかかるコーナー用カバー部材を取り付けた状態を示す図である。
【図２】軒天換気材が設置された建物の一例を示す図。
【図３】第１実施形態にかかるコーナー用カバー部材の正面図である。
【図４】第１実施形態にかかるコーナー用カバー部材の平面図である。
【図５】第１実施形態にかかるコーナー用カバー部材の右側面図である。
【図６】第１実施形態にかかるコーナー用カバー部材の展開図である。
【図７Ａ】第２実施形態にかかるコーナー用カバー部材と、このコーナー用カバー部材が取り付けられる軒天換気材との斜視図である。
【図７Ｂ】傾斜して設置される軒天換気材に第２実施形態にかかるコーナー用カバー部材を取り付けた状態を示す図である。
【図７Ｃ】水平に設置される軒天換気材に第２実施形態にかかるコーナー用カバー部材を取り付けた状態を示す図である。
【図８】第２実施形態にかかるコーナー用カバー部材の正面図である。
【図９】第２実施形態にかかるコーナー用カバー部材の平面図である。
【図１０】第２実施形態にかかるコーナー用カバー部材の右側面図である。
【図１１】第２実施形態にかかるコーナー用カバー部材の展開図である。
【図１２Ａ】第３実施形態にかかるコーナー用カバー部材と、このコーナー用カバー部材が取り付けられる軒天換気材との斜視図である。
【図１２Ｂ】傾斜して設置される軒天換気材に第３実施形態にかかるコーナー用カバー部材を取り付けた状態を示す図である。
【図１２Ｃ】水平に設置される軒天換気材に第３実施形態にかかるコーナー用カバー部材を取り付けた状態を示す図である。
【図１３】第３実施形態にかかるコーナー用カバー部材の正面図である。
【図１４】第３実施形態にかかるコーナー用カバー部材の平面図である。
【図１５】第３実施形態にかかるコーナー用カバー部材の右側面図である。
【図１６】第３実施形態にかかるコーナー用カバー部材の展開図である。
【発明を実施するための形態】
【００１９】
以下、本発明の好適な一実施形態について、図面を参照しつつ説明する。
【００２０】
（第１実施形態：コーナー用カバー部材の概要）
まず、図１Ａから図２を用いて、第１実施形態にかかるコーナー用カバー部材の概要を説明する。なお、本明細書において、「上」とは図３、図８、図１３における上、「下」とは図３、図８、図１３における下、「前」とは図３、図８、図１３における手前、「後」とは図３、図８、図１３における奥、「右」とは図３、図８、図１３における「右」、「左」とは図３、図８、図１３における「左」のことである。
【００２１】
コーナー用カバー部材１００を説明するために、まず、軒天換気材２００が設置された建物の概略構造を説明する。図２を参照して、軒天換気材２００は、建物の外装材（本発明の「外壁」の一例）と軒との間に設置され、建物の小屋裏の換気を行うための長尺状の部材である。建物では、外装材が柱に取り付けられて垂直方向に立ち上がるように形成されている。そして、片流れの屋根が傾斜して形成され、これによって、軒が外装材から突出して傾斜するように形成されている。なお、本実施形態では、軒が軒桁から上方に向かって傾斜するように屋根が形成されているが、軒が軒桁から下方に向かって傾斜するように屋根が形成されてもよい。そして、建物では、外装材の上方に、小屋裏を換気するための換気口Ｏ１が形成されており、この換気口Ｏ１部分に軒天換気材２００が設置される。なお、軒天換気材２００は、コーキング材によって外装材に固着（設置）されるとともに鼻柱用下地等にビス止めされて、建物に固定される。
【００２２】
第１実施形態では、小屋裏の換気効率を良くするために、建物の外壁に沿って、建物の全周に軒天換気材２００を設置している。より具体的に説明すると、建物の各側面に一つの軒天換気材２００が取り付けられる。例えば、上面視で四角形の建物であれば、この建物の側面は４つあるので、計４つの軒天換気材２００が設置されることになる。これらの建物の側面には、屋根の縁が傾斜している側面と傾斜せずに水平に延びる側面とがある。例えば、図２で示す建物においては、図２の手前側と奥側の側面では屋根の縁が傾斜しているが、図２の左側の側面と右側の側面（不図示）では屋根の縁が水平に手前から奥に延びている。
【００２３】
軒天換気材２００は、屋根の縁に沿って設置されるため、図２においては、建物の手前側と奥側の側面においては、屋根の縁に沿って傾斜して設置される。なお、図２の点線で示す箇所が建物の手前側の側面における軒天換気材２００の設置箇所である。また、軒天換気材２００は、図２の左側の側面と右側の側面では、屋根の縁と同様に水平に延びるように設置される。水平に設置される軒天換気材２００の端部と、傾斜して設置される軒天換気材２００の端部とは、建物のコーナー部において互いに突き合わせるように配置される。
【００２４】
第１実施形態にかかるコーナー用カバー部材１００は、建物のコーナー部において互いに突き合わせるように配置された、軒天換気材２００の端部同士を、建物の外壁のコーナー部において連結するための部材である。コーナー用カバー部材１００によって、これらの軒天換気材２００の端部がコーナー用カバー部材１００によって連結されるため、これらの軒天換気材２００の端部の突き合わされる箇所の外観を美しくすることができる。
【００２５】
コーナー用カバー部材１００は、水平に設置される軒天換気材２００の端部を受け入れる（例えば図１における矢印ａ１の方向から受け入れる）第１の受け口１０１と、第１の受け口１０１と口向きが交差し、傾斜させて設置される軒天換気材２００の端部を受け入れる（例えば図１における矢印ａ２の方向から受け入れる）第２の受け口１０２と、を備える。そして、第２の受け口１０２には、軒天換気材２００の端部に挿入され、受け入れ角度を調整可能（例えば、図１Ａにおける矢印ａ３の範囲で調整可能）に軒天換気材２００を支持する角度調整舌部１０３が設けられている。なお、本明細書において、軒天換気材２００の「受け入れ角度」とは、垂直面と軒天換気材２００の上面部２０４又は下面部２０１との間の角度のうち下側の角度のことである。
【００２６】
角度調整舌部１０３が、傾斜して設置される軒天換気材２００の端部に挿入されることで、第２の受け口１０２では、受け入れ角度を調整可能に、軒天換気材２００を支持することができる。このため、屋根の縁が傾斜する側の外壁に設置される軒天換気材２００の設置角度が様々であっても、この様々な設置角度に対応して、コーナー用カバー部材１００を各軒天換気材２００の端部に取り付けることができる。なお、軒天換気材２００の設置角度とは、水平面と軒天換気材２００の長手方向との交差する角度のことである。
【００２７】
（第１実施形態：軒天換気材の概略構成）
次に、第１実施形態にかかるコーナー用カバー部材１００の構成の詳細を説明するために、まず、図１Ａを参照して、軒天換気材２００の概略構成を説明する。
軒天換気材２００は、その外観が略直方体状である筒状部材であり、下面部２０１、下面部２０１における一縁から上方に延びる外側面部２０２、下面部２０１における他の一縁から上方に延びる内側面部２０３、及び、外側面部２０２の上縁と内側面部２０３の上縁とに亘って形成された上面部２０４を有する。軒天換気材２００では、内側面部２０３が外装材の表面に配置されて接着される。なお、内側面部２０３の上下方向の中部には、内側面部２０３に向かって下に傾斜する傾斜板部２０５が設けられている。この傾斜板部２０５は、図２で示すように、外装材の上に配置されるようになっており、建物内部に侵入する雨水等を軒天換気材２００側に排出するためのものである。また、軒天換気材２００の両端の開口部２０６には、上部２０７だけを残して覆うようなキャップ２０６ａが取り付けられている。
【００２８】
（第１実施形態：コーナー用カバー部材の構成の詳細）
以下、図１Ａから図６を用いて第１実施形態にかかるコーナー用カバー部材の構成を詳細に説明する。第１実施形態にかかるコーナー用カバー部材１００は、例えば、第１の受け口１０１及び第２の受け口１０２を形成するように、１枚の金属板を屈曲させてなる部材である。なお、第１実施形態にかかるコーナー用カバー部材１００は、第２の受け口１０２によって、第２の受け口１０２側が高くなるように傾斜して設置される軒天換気材２００の端部を受け入れることが可能に構成されている。すなわち、第２の受け口１０２による軒天換気材２００の受け入れ角度が９０度よりも小さくなるように、コーナー用カバー部材１００が構成されている。
【００２９】
コーナー用カバー部材１００は、板面が上下方向を向いた平板状の下面部１を有する。下面部１は、前方左側の片隅が長四角形（例えば２７．３ｍｍ×１６．９ｍｍ）に切りかかれた長四角形（例えば７０ｍｍ×２７．９ｍｍ）であり、その長手方向が前後方向に一致するように形成されている。下面部１の左縁における後端から切欠き部分までの部位には、略直角に上方に延びる内側面部３が形成されている。内側面部３は、板面が左右方向を向いた長四角形（例えば４２．７ｍｍ×３０ｍｍ）の平板状であり、建物の外装材の表面に配置するためのものである。内側面部３の上縁における前端部には、長四角形（例えば１５．７ｍｍ×６ｍｍ）の平板状のストッパ部３１が略直角に右方向に延びるように設けられている。
【００３０】
下面部１の右縁には、略直角に上方に延びる外側面部２が形成されており、外側面部２は、板面が左右方向を向いた長四角形（例えば７０ｍｍ×５１．５ｍｍ）の平板状である。外側面部２の上縁は、内側面部３の上縁よりも高く形成されている。外側面部２の上縁には、長四角形（例えば７０ｍｍ×１１ｍｍ）の平板状である上面部４が略直角に左方向に延びるように形成されている。上面部４は、その短手方向が左右方向と一致するが、上面部４の短手方向の寸法は、下面部１の短手方向の寸法よりも短く形成されている。
【００３１】
上述した、下面部１の後方部、外側面部２の後方部、内側面部３の後方部、及び上面部４の後方部が上述した第１の受け口１０１を構成し、これらによって、水平に設置される軒天換気材２００の端部を支持する。具体的に、この支持構成を説明すると、図１Ｃで示すように、下面部１の後方部、外側面部２の後方部、内側面部３の後方部、及び上面部４の後方部で囲まれた領域内に、コーナー用カバー部材１００の後方から軒天換気材２００の端部が挿入可能になっている。そして、挿入された軒天換気材２００の端部は、ストッパ部３１に当接されるまで挿入され、この当接によって挿入が規制される。これによって、他の軒天換気材２００（第２の受け口１０２から挿入された他の軒天換気材２０）の端部と衝突しない所定の位置（ストッパ部３１の後縁位置）を超えて、軒天換気材２００が挿入されることを規制することが可能になっている。
【００３２】
第１の受け口１０１に軒天換気材２００の端部が挿入されると、下面部１の後方部は軒天換気材２００の端部の下面部２０１（下面）を支持し、上面部４の後方部は軒天換気材２００の端部の上面部２０４（上面）を支持する。これによって、軒天換気材２００の端部を下方から支持するだけでなく、上方からも支持することができる。このため、水平方向に設置される軒天換気材２００の端部を第１の受け口１０１によって、上方から及び下方からの何れかで支持する場合よりも、安定的に支持することができる。更に、第１の受け口１０１では、外側面部２の後方部の内面が軒天換気材２００の外側面部２０２に沿うように配置され、内側面部３の後方部の内面が軒天換気材２００の内側面部２０３に沿うように配置され、右方向と左方向の両方から軒天換気材２００が支持される。このため、第１の受け口１０１によって更に安定的に軒天換気材２００の端部を支持することができる。
【００３３】
また、第１実施形態にかかるコーナー用カバー部材１００では、上面部４の前方部における左縁から左方向に向かって延びる角度調整舌部１０３が設けられている。角度調整舌部１０３は、軒天換気材２００の端部（上部２０７）に挿入される。これによって、角度調整舌部１０３が軒天換気材２００を支持することができるようになっている。
【００３４】
角度調整舌部１０３は、上面部４から真っ直ぐに延びるのではなくやや下に屈曲されており、角度調整舌部１０３と上面部４との間の角度は、例えば、１７８度になっている。これによって、角度調整舌部１０３は、コーナー用カバー部材１００に向かって高くなるように傾斜して設けられる軒天換気材２００の上部２０７に挿入可能になっている。そして、角度調整舌部１０３は、長四角形の平板状であり、これによって、上下方向に遊びがあるように、軒天換気材２００の上部２０７に挿入可能に構成されている。これによって、角度調整舌部１０３は、軒天換気材２００の端部の受け入れ角度を調整可能になっている。
【００３５】
また、角度調整舌部１０３は、その中途位置で下に屈曲しており、根元から中途位置までの第１部分４１と中途位置から先端までの第２部分４２とに区分されている。なお、第１部分４１は、例えば、２２．５ｍｍ×１３ｍｍの長四角形の平板状であり、第２部分４２は、例えば、２２．５ｍｍ×１０ｍｍの長四角形の平板状である。また、第１部分４１と第２部分４２との間の角度は、例えば、１５０度になっている。これによって、軒天換気材２００が所定の角度を超えて傾斜して設置されるのでなければ、第１部分４１で軒天換気材２００の端部を支持し、軒天換気材２００が所定の角度を超えて傾斜して設置されるならば、第２部分４２で軒天換気材２００の端部を支持することができる。このため、角度調整舌部１０３が軒天換気材２００の受け入れ角度を調整できる範囲をより広げることができる。これによって、コーナー用カバー部材１００に取り付けることができる、軒天換気材２００の設置角度の範囲をより広げることができる。
【００３６】
また、コーナー用カバー部材１００では、外側面部２の前縁から略直角に左方に延びる前側面部５が設けられている。前側面部５は、板面が前後方向を向いた略台形の平板状に形成されており、上方が下方よりも幅広になっている。前側面部５の上縁は、上面部４の前縁、角度調整舌部１０３の前縁まで延びるように形成され、かつ、角度調整舌部１０３の前縁とは若干の隙間が開くように形成されている。
【００３７】
上述した、下面部１の前方部、内側面部３の前縁、上面部４の前方部、角度調整舌部１０３、及び前側面部５が第２の受け口１０２を構成し、これらによって、傾斜して設置される軒天換気材２００の端部を支持する。具体的には、内側面部３の前縁、前側面部５の左縁、及び下面部１の間の領域に、軒天換気材２００の端部が左方から挿入される。
【００３８】
ここで、角度調整舌部１０３は、軒天換気材２００の上部２０７内に挿入されるため、軒天換気材２００の上面部２０４は角度調整舌部１０３上に配置される。なお、上述したように、前側面部５の上縁が、角度調整舌部１０３の前縁とは若干の隙間が開くように形成されている。このため、軒天換気材２００の内側面部２０３の上部と外側面部２０２の上部とがコーナー用カバー部材１００の上面部４に当接するまで、角度調整舌部１０３を軒天換気材２００の上部２０７に挿入することができる。なお、角度調整舌部１０３は、上面部４の左縁における前端部分の数ｍｍ（例えば１ｍｍ）を開けて形成されているため、軒天換気材２００の外側面部２０２の上部が、この前端部分に当接することになる。
【００３９】
そして、軒天換気材２００の下面部２０１は、コーナー用カバー部材１００の下面部１における前方部である支持面部１１の上に乗せられる。これによって、支持面部１１で軒天換気材２００の端部の下面部２０１を支持することができる。なお、支持面部１１は、下面部１の前方部における下面部１における切欠きの残りであり、角度調整舌部１０３と対向する部分である。
【００４０】
上記のように、第２の受け口１０２において、軒天換気材２００の端部に角度調整舌部１０３を挿入し、かつ、この角度調整舌部１０３と対向する支持面部１１によって軒天換気材２００の端部の下面部２０１を支持することで、軒天換気材２００の受け入れ角度を調整可能でありながら、軒天換気材２００の端部を安定して支持することができる。また、支持面部１１の左側が切欠かれていることによって、第２の受け口１０２で受け入れ可能な、軒天換気材２００の設置角度の範囲をより広くすることができる。
【００４１】
また、第２の受け口１０２において、前側面部５の内面に沿って、軒天換気材２００の外側面部２０２が配置され、内側面部３の前縁及び下面部１の切欠き箇所の縁（左右方向に延びる縁）に沿って、軒天換気材２００の内側面部２０３が配置され、これによって、軒天換気材２００を前方向及び左方向の両方から支持することができる。この構成によって、より安定的に軒天換気材２００の端部を支持することができる。
【００４２】
（第１実施形態：コーナー用カバー部材の取付け方法）
以下に、図１Ａから図２を用いて、コーナー用カバー部材１００の軒天換気材２００への取付け方法の一例を説明する。
まず、コーナー用カバー部材１００に取り付けられる２つの軒天換気材２００のうちの何れか一つを建物の下地材（鼻隠し用の下地材）に設置する。この設置は、例えば、傾斜板部２０５が外装材の上方に位置するように、かつ、上面部２０４を鼻隠し用の下地材に密着させるようにしながら、施工者が、内側面部２０３を外装材の表面に配置する。ここで、施工者は、軒天換気材２００が屋根の縁の傾斜に合わせて傾斜するように軒天換気材２００を配置する。この後に、施工者が、上面部２０４を鼻隠し用の下地材にビス止め等で取り付けるとともに、必要に応じて内側面部２０３と外装材との間にコーキング材を充填して、内側面部２０３と外装材とを固着する。
【００４３】
この後、上記のように設置された軒天換気材２００に対してコーナー用カバー部材１００を取り付ける。上記のように設置された軒天換気材２００が傾斜して設置されている場合には、コーナー用カバー部材１００における第２の受け口１０２を、施工者が軒天換気材２００の端部を取り付ける。具体的には、施工者が、第２の受け口１０２における角度調整舌部１０３を、軒天換気材２００の上部２０７内に挿入しながら、内側面部３の前縁、前側面部５の前縁、及び下面部１の間の領域に、軒天換気材２００の端部を挿入する。これによって、軒天換気材２００の端部に対してコーナー用カバー部材１００を取り付けることができる。
【００４４】
また、上記のように設置された軒天換気材２００が水平に設置されている場合には、コーナー用カバー部材１００における第１の受け口１０１に対して、施工者が軒天換気材２００の端部を取り付ける。具体的には、施工者が、第１の受け口１０１における下面部１の後方部、外側面部２の後方部、内側面部３の後方部、及び上面部４の後方部で囲まれた領域内に、コーナー用カバー部材１００の後方から軒天換気材２００の端部をストッパ部３１に当接するまで挿入する。これによって、軒天換気材２００の端部に対してコーナー用カバー部材１００を取り付けることができる。
【００４５】
なお、軒天換気材２００に取り付けられたときに、コーナー用カバー部材１００は、その内側面部３の前縁がコーナー部と一致し、かつ内側面部３が建物の外壁の表面に配置されるようになっている。次に、第１の受け口１０１及び第２の受け口１０２のうち、軒天換気材２００の端部が取り付けられていない方に、軒天換気材２００の端部を取り付ける。この取り付けられた軒天換気材２００を、施工者が上記と同様の方法で外装材に設置する。その後、施工者が、コーナー用カバー部材１００の内側面部３と外装材との間にコーキング材を充填して、内側面部３と外装材とを固着し、これによって、コーナー用カバー部材１００を外装材に固定する。
【００４６】
上述のようにして、軒天換気材２００の端部同士を、コーナー用カバー部材１００によって、建物の外壁のコーナー部において連結することができる。
【００４７】
（第１実施形態：コーナー用カバー部材の製造方法）
次に、図６を用いて、コーナー用カバー部材１００の製造方法を説明する。まず、一枚の金属板を図６の太線で示す形状にカットする。その後に、図６において二点鎖線で示す位置で金属板を屈曲することで、第１実施形態にかかるコーナー用カバー部材１００が製造される。なお、この製造方法はあくまで一例であり、コーナー用カバー部材１００は一枚の金属板で製造されるものに限定されず、複数枚の金属で形成されていてもよく、又は樹脂で形成されていてもよい。
【００４８】
（第２実施形態）
次に、図７Ａから図１１を用いて第２実施形態にかかるコーナー用カバー部材１００Ａを説明する。第１実施形態にかかるコーナー用カバー部材１００Ａは、第２の受け口１０２によって、第２の受け口１０２側が高くなるように傾斜して設置される軒天換気材２００の端部を受け入れることが可能に構成されている。これに対して、第２実施形態にかかるコーナー用カバー部材１００Ａは、第２の受け口１０２Ａによって、第２の受け口１０２側が低くなるように傾斜して設置される軒天換気材２００の端部を受け入れることが可能に構成されている。すなわち、第２の受け口１０２Ａによる軒天換気材２００の受け入れ角度が９０度よりも大きくなるように、コーナー用カバー部材１００Ａが構成されている。
【００４９】
（第２実施形態：コーナー用カバー部材の構成の詳細）
第２実施形態にかかるコーナー用カバー部材１００Ａは、一枚の金属板を屈曲させてなるものである。コーナー用カバー部材１００Ａは、板面が上下方向を向いた平板状の下面部１Ａを有する。下面部１Ａは、前方左側の片隅に突出部位（支持面部１１Ａ）を有する長四角形（例えば７０ｍｍ×２７．７ｍｍ）に形成されており、その長手方向が前後方向に一致する。支持面部１１Ａは、その短手方向が左右方向に一致する長四角形（例えば２７ｍｍ×１９．３ｍｍ）の平板が、左右方向における中途位置で所定の角度（例えば、１５０度）屈曲された形状を有する。
【００５０】
下面部１Ａの左縁における後端から突出部分までの部位には、略直角に上方に延びる内側面部３Ａが形成されている。内側面部３Ａは、板面が左右方向を向いた長四角形（例えば４１ｍｍ×３０ｍｍ）の平板状であり、建物の外装材の表面に配置するためのものである。内側面部３の上縁における前端部には、長四角形（例えば１４ｍｍ×６ｍｍ）の平板状のストッパ部３１Ａが略直角に右方向に延びるように設けられている。
【００５１】
下面部１Ａの右縁には、略直角に上方に延びる外側面部２Ａが形成されており、外側面部２Ａは、板面が左右方向を向いた平板状である。外側面部２Ａは、前方左側の片隅が長四角形（例えば２５．３ｍｍ×１５．５ｍｍ）に切りかかれた長四角形（例えば７０ｍｍ×５１．５ｍｍ）である。外側面部２Ａの上縁（切欠き部分を除く上縁）は、内側面部３Ａの上縁よりも高く形成されている。外側面部２Ａの上縁における後端から切欠き部分までの部位には、長四角形（例えば４４．７ｍｍ×１０ｍｍ）の平板状である上面部４Ａが略直角に左方向に延びるように形成されている。上面部４Ａは、その短手方向が左右方向と一致するが、上面部４Ａの短手方向の寸法は、下面部１Ａの短手方向の寸法よりも短く形成されている。
【００５２】
上述した、下面部１Ａの後方部、外側面部２Ａの後方部、内側面部３Ａの後方部、及び上面部４Ａの後方部が第１の受け口１０１Ａを構成し、第１実施形態と同様にして、水平に設置される軒天換気材２００の端部を支持する。
【００５３】
また、第２実施形態にかかるコーナー用カバー部材１００Ａでは、外側面部２Ａにおける切欠き箇所の縁（前後方向に延びる縁）に角度調整舌部１０３Ａが設けられている。角度調整舌部１０３Ａは、外側面部２Ａにおける切欠き箇所の縁（前後方向に延びる縁）から斜め左上方向に向かって延びるように形成されており、これによって、コーナー用カバー部材１００に向かって低くなるように傾斜して設けられる軒天換気材２００の上部２０７に挿入されることが可能になっている。
【００５４】
角度調整舌部１０３Ａは、前方上側の片隅に長四角形（例えば、１６．５ｍｍ×１ｍｍ）の切欠きを有する長四角形（例えば、２８．５ｍｍ×２３．３ｍｍ）の平板状であり、これによって、角度調整舌部１０３Ａは、上下方向に遊びがあるように、軒天換気材２００の上部２０７に挿入可能に形成されており、軒天換気材２００の端部の受け入れ角度が調整可能になっている。なお、角度調整舌部１０３Ａの片隅に切欠きが形成されているため、軒天換気材２００の上部２０７に角度調整舌部１０３Ａが挿入し易くなっている。
【００５５】
また、コーナー用カバー部材１００Ａでは、外側面部２Ａの前縁から略直角に左方に延びる前側面部５Ａが設けられている。前側面部５Ａは、板面が前後方向を向いた五角形の平板状に形成されており、下方が上方よりも幅広になっている。前側面部５Ａの上縁は、角度調整舌部１０３Ａの前縁まで延びるように形成され、かつ、角度調整舌部１０３Ａの前縁とは若干の隙間が開くように形成されている。
【００５６】
上述した、下面部１の前方部（支持面部１１Ａ）、内側面部３の前縁、外側面部２Ａの前方部、角度調整舌部１０３Ａ、及び前側面部５Ａが第２の受け口１０２Ａを構成し、これらによって、傾斜して設置される軒天換気材２００の端部を支持する。具体的には、内側面部３Ａの前縁、前側面部５Ａの左縁、及び下面部１Ａの間の領域に、軒天換気材２００の端部が左方から挿入される。
【００５７】
ここで、角度調整舌部１０３Ａは、軒天換気材２００の上部２０７内に挿入されるため、軒天換気材２００の上面部２０４は角度調整舌部１０３Ａ上に配置される。なお、前側面部５Ａの上縁が、角度調整舌部１０３Ａの前縁とは若干の隙間が開くように形成されているため、軒天換気材２００における内側面部２０３の上部及び外側面部２０２の上部が外側面部２Ａに当接するまで、角度調整舌部１０３Ａを軒天換気材２００の上部２０７に挿入することができる。軒天換気材２００の下面部２０１は、コーナー用カバー部材１００Ａの下面部１Ａにおける支持面部１１Ａの上に乗せられる。これによって、支持面部１１Ａによって軒天換気材２００の端部の下面部２０１を支持する。
【００５８】
具体的には、支持面部１１Ａは中途位置で屈曲しているため、軒天換気材２００の設置角度が所定の角度を超えなければ、支持面部１１Ａにおける根元から中途位置までの部分で軒天換気材２００の下面部２０１（下面部２０１の縁）が支持される。また、軒天換気材２００の設置角度が所定の角度を超えれば、支持面部１１Ａにおける中途位置から先端までの部分で軒天換気材２００の下面部２０１（下面部２０１の縁）が支持される。
【００５９】
上述したように、角度調整舌部１０３Ａが、遊びがあるように軒天換気材２００の上部２０７に挿入可能に構成されており、かつ、中途位置で屈曲している支持面部１１Ａで軒天換気材２００の下面部２０１支持することから、第２の受け口１０２Ａによる軒天換気材２００の端部の受け入れ角度が調整可能に、かつ軒天換気材２００の端部を安定的に支持することが可能になっている。
【００６０】
また、第２の受け口１０２Ａにおいて、前側面部５Ａの内面に沿って、軒天換気材２００の外側面部２０２が配置され、内側面部３Ａの前縁に沿って、軒天換気材２００の内側面部２０３が配置され、これによって、軒天換気材２００を前方向及び後方向の両方から支持することができる。この構成によって、より安定的に軒天換気材２００の端部を支持することができる。
【００６１】
（第２実施形態：コーナー用カバー部材の取付け方法及びコーナー用カバー部材の製造方法）
第２実施形態にかかるコーナー用カバー部材１００Ａを軒天換気材２００に対して取り付ける方法は、第１実施形態と同様であるため説明を省略する。また、第２実施形態にかかるコーナー用カバー部材１００Ａの製造方法の一例も、基本的に第１の実施形態と同様である。具体的には、一枚の金属板を図１１の太線で示す形状にカットし、その後に、図１１において二点鎖線で示す位置で金属板を屈曲することで、第２実施形態にかかるコーナー用カバー部材１００Ａが製造される。
【００６２】
（第３実施形態）
次に、図１２Ａから図１６を用いて第３実施形態にかかるコーナー用カバー部材１００Ｂを説明する。図１Ａ及び図７Ａで示すように、第１及び第２実施形態にかかるコーナー用カバー部材１００、１００Ａは、コーナー部が出隅である場合に使用される部材である。これに対して、図１２Ａで示すように、第３実施形態にかかるコーナー用カバー部材１００Ｂは、コーナー部が入隅である場合に使用される部材である。なお、出隅とは凸状のコーナー部のことであり、入隅とは凹状のコーナー部のことである。
【００６３】
第３実施形態にかかるコーナー用カバー部材１００Ｂも、第１及び第２実施形態にかかるコーナー用カバー部材１００、１００Ａと同様に、第１の受け口１０１Ｂによって、水平に設置される軒天換気材２００を受け入れることが可能に構成されているとともに、第２の受け口１０２Ｂによって、傾斜して設置される軒天換気材２００を受け入れることが可能に構成されている。また、第３実施形態にかかるコーナー用カバー部材１００Ｂは、第２実施形態にかかるコーナー用カバー部材１００Ａと同様に、第２の受け口１０２Ｂによって、第２の受け口１０２Ｂ側が低くなるように傾斜して設置される軒天換気材２００の端部を受け入れることが可能に構成されている。
【００６４】
（第３実施形態：コーナー用カバー部材の構成の詳細）
第３実施形態にかかるコーナー用カバー部材１００Ｂは、一枚の金属板を屈曲させてなるものである。コーナー用カバー部材１００Ｂは、板面が上下方向を向いた平板状の下面部１Ｂを有する。下面部１Ｂは、長四角形（例えば７０ｍｍ×２７．９ｍｍ）に形成されており、その長手方向が前後方向に一致する。下面部１Ｂの左縁には、略直角に上方に延びる内側面部３Ｂが形成されている。
【００６５】
内側面部３Ｂは、板面が左右方向を向いた平板状であり、建物の外装材の表面に配置するためのものである。内側面部３Ｂは、前方上側の片隅に長四角形（例えば２８．１ｍｍ×１６．５ｍｍ）の突出部位３２Ｂを有する長四角形（例えば７０ｍｍ×３０ｍｍ）である。
【００６６】
下面部１Ｂの右縁には、略直角に上方に延びる外側面部２Ｂが形成されており、外側面部２Ｂは、板面が左右方向を向いた平板状である。外側面部２Ｂは、前方上側の片隅が長四角形（例えば２７．２ｍｍ×４６ｍｍ）に切り欠かれた長四角形（例えば７０ｍｍ×５１．５ｍｍ）である。なお、外側面部２Ｂの前方部における切り欠かれた残りの部位が、その上縁で軒天換気材２００の下面部２０１を支持するための支持部位２１となっている。
【００６７】
外側面部２Ｂの上縁は、内側面部３Ｂの上縁（突出部位３２Ｂを除く上縁）よりも高く形成されている。外側面部２Ｂの上縁における後端から切欠き部分までの部位には、長四角形（例えば４２．８ｍｍ×１５ｍｍ）の平板状である上面部４Ｂが略直角に左方向に延びるように形成されている。上面部４Ｂは、その短手方向が左右方向と一致するが、上面部４Ｂの短手方向の寸法は、下面部１Ｂの短手方向の寸法よりも短く形成されている。
【００６８】
上述した、下面部１Ｂの後方部、外側面部２Ｂの後方部、内側面部３Ｂの後方部、及び上面部４Ｂの後方部が第１の受け口１０１Ｂを構成し、第１及び第２実施形態と同様にして、水平に設置される軒天換気材２００の端部を支持する。なお、第３実施形態においては、内側面部３Ｂの突出部位３２Ｂにおける後縁がストッパ部として機能し、突出部位３２Ｂにおける後縁に軒天換気材２００の傾斜板部２０５が当接することで、軒天換気材２００の挿入が規制される。
【００６９】
また、第３実施形態にかかるコーナー用カバー部材１００Ｂでは、内側面部３Ｂの突出部位３２Ｂの上縁には角度調整舌部１０３Ｂが設けられている。角度調整舌部１０３Ｂは、突出部位３２Ｂの上縁から斜め右上方向に延びるように形成されており、これによって、コーナー用カバー部材１００に向かって低くなるように傾斜して設けられる、軒天換気材２００の端部（上部２０７）に挿入可能になっている。なお、突出部位３２Ｂと角度調整舌部１０３との間の角度が例えば、１４０度になるように、角度調整舌部１０３Ｂが形成されている。
【００７０】
また、角度調整舌部１０３Ｂは、軒天換気材２００の端部の受け入れ角度が調整可能に形成されている。具体的には、角度調整舌部１０３Ｂは、長四角形（例えば、２２．６ｍｍ×６．５ｍｍ）の平板状であり、これによって、角度調整舌部１０３Ｂは、軒天換気材２００の上部２０７に遊びがあるように挿入可能に構成されており、軒天換気材２００の端部の受け入れ角度が調整可能になっている。なお、角度調整舌部１０３Ｂは、突出部位３２Ｂの上縁における前端部分の数ｍｍ（例えば３．３ｍｍ）と後端部分の数ｍｍ（例えば２ｍｍ）を開けて形成されている。このため、突出部位３２Ｂの上縁における前端部分と後端部分とに当接するまで、角度調整舌部１０３Ｂが軒天換気材２００の上部２０７に挿入可能になっている。
【００７１】
また、コーナー用カバー部材１００Ｂでは、内側面部３Ｂの前縁から略直角に右方に延びる前側面部５Ｂが設けられている。前側面部５Ｂは、板面が前後方向向いた板状に形成されている。前側面部５Ｂは、底辺が右方に向いた台形の平板状に形成されており、底辺が上辺よりも長くなっている。これによって、前側面部５Ｂの上縁は、右方が高くなるように（例えば、この上縁と内側面部３Ｂの前縁とが例えば１０５度になるように）傾斜している。
【００７２】
上述した、下面部１Ｂの前方部、外側面部２Ｂの前縁、角度調整舌部１０３Ｂ、及び前側面部５Ｂが第２の受け口１０２Ｂを構成し、これらによって、傾斜して設置される軒天換気材２００の端部を支持する。具体的には、外側面部２Ｂの前縁、前側面部５Ｂの右縁、及び下面部１Ｂの間の領域に、軒天換気材２００の端部が右方から挿入される。
【００７３】
ここで、角度調整舌部１０３Ｂは、軒天換気材２００の上部２０７内に挿入されるため、軒天換気材２００の上面部２０４は角度調整舌部１０３Ｂ上に配置される。なお、軒天換気材２００における内側面部２０３及び外側面部２０２の上部が、突出部位３２Ｂの上縁における前端部分と後端部分とに当接するまで、角度調整舌部１０３Ｂを軒天換気材２００の上部２０７に挿入することができる。軒天換気材２００の下面部２０１は、コーナー用カバー部材１００Ｂの下面部１Ｂにおける前方部の上に乗せられる。
【００７４】
第３実施形態では、軒天換気材２００は第２の受け口１０２Ｂ側が低くなるように傾斜している。このため、図１２Ｂで示すように、下面部１Ｂにおける前方部の右側の支持面部１１Ｂに、軒天換気材２００の下面部２０１の縁が載置されるとともに、支持部位２１の上縁に、軒天換気材２００の下面部２０１が載置される。なお、軒天換気材２００の傾斜度合が大きい程、支持面部１１Ｂの右寄りの位置に軒天換気材２００の下面部２０１の縁が乗せられることになるが、支持部位２１が形成されているため、下面部１Ｂの右縁から軒天換気材２００の下面部２０１の縁が落下することが防止される。
【００７５】
上述したように、角度調整舌部１０３Ｂが、遊びがあるように軒天換気材２００の上部２０７に挿入可能に構成されており、かつ、軒天換気材２００の下面部２０１を支持する支持面部１１Ｂが形成されているため、第２の受け口１０２Ｂによる軒天換気材２００の端部の受け入れ角度が調整可能に、かつ軒天換気材２００の端部を安定的に支持することが可能になっている。
【００７６】
また、第２の受け口１０２Ｂにおいて、前側面部５Ｂの内面に沿って、軒天換気材２００の内側面部２０３が配置され、外側面部２Ｂの前縁に沿って、軒天換気材２００の外側面部２０２が配置され、これによって、軒天換気材２００を前方向及び後方向の両方から支持することができる。この構成によって、より安定的に軒天換気材２００の端部を支持することができる。なお、前側面部５Ｂの上縁は、右方が高くなるように傾斜しており、これによって、右方が高くなるように傾斜して設置される軒天換気材２００の傾斜板部２０５が前側面部５Ｂの上縁にぶつかることのないようになっている。
【００７７】
（第３実施形態：コーナー用カバー部材の取付け方法及びコーナー用カバー部材の製造方法）
第３実施形態にかかるコーナー用カバー部材１００Ｂを軒天換気材２００に対して取り付ける方法は、第１実施形態と同様であるため説明を省略する。また、第３実施形態にかかるコーナー用カバー部材１００Ｂの製造方法の一例も、基本的に第１の実施形態と同様である。具体的には、一枚の金属板を図１６の太線で示す形状にカットし、その後に、図１６において二点鎖線で示す位置で金属板を屈曲することで、第３実施形態にかかるコーナー用カバー部材１００Ｂが製造される。
【００７８】
（変形例）
（１）第１から第３の実施形態にかかるコーナー用カバー部材１００、１００Ａ、１００Ｂにおいては、支持面部１１、１１Ａ、１１Ｂは角度調整舌部１０３、１０３Ａ、１０３Ｂの下方に形成されているが、角度調整舌部１０３、１０３Ａ、１０３Ｂと支持面部１１、１１Ａ、１１Ｂとの形成位置を入れ替えてもよい。この場合には、支持面部１１、１１Ａ、１１Ｂは、軒天換気材２００の上面部２０４（上面）を支持することになる。
【００７９】
（２）第１から第３の実施形態にかかるコーナー用カバー部材１００、１００Ａ、１００Ｂにおいて、第１の受け口１０１、１０１Ａ、１０１Ｂを後方に形成し、第２の受け口１０２、１０２Ａ、１０２Ｂを前方に形成しているが、第１の受け口１０１、１０１Ａ、１０１Ｂの形成位置と、第２の受け口１０２、１０２Ａ、１０２Ｂの形成位置とを入れ替えてもよい。
【００８０】
（３）本発明のコーナー用カバー部材は、片流れの屋根を有する建物に設置される軒天換気材に用途が限定されず、傾斜した屋根を有する建物に設置される軒天換気材のために用いることができる。
【符号の説明】
【００８１】
１                      下面部
２                      外側面部
３                      内側面部
３１                    ストッパ部
４                      上面部
４１                    第１傾斜部位
４２                    第２傾斜部位
５                      前面部
１１、１１Ａ、１１Ｂ    支持面部
１００                  コーナー用カバー部材
１０１                  第１受け口
１０２                  第２受け口
１０３                  角度調整舌部
２００                  軒天換気材
２０１                  下面部
２０２                  外側面部
２０３                  内側面部
２０４                  上面部
２０５                  傾斜板部
２０６                  側部
２０６ａ                キャップ
２０７                  係止部
【図１Ａ】
2014181542.tif 000003
【図１Ｂ】
2014181542.tif 000004
【図１Ｃ】
2014181542.tif 000005
【図２】
2014181542.tif 000006
【図３】
2014181542.tif 000007
【図４】
2014181542.tif 000008
【図５】
2014181542.tif 000009
【図６】
2014181542.tif 000010
【図７Ａ】
2014181542.tif 000011
【図７Ｂ】
2014181542.tif 000012
【図７Ｃ】
2014181542.tif 000013
【図８】
2014181542.tif 000014
【図９】
2014181542.tif 000015
【図１０】
2014181542.tif 000016
【図１１】
2014181542.tif 000017
【図１２Ａ】
2014181542.tif 000018
【図１２Ｂ】
2014181542.tif 000019
【図１２Ｃ】
2014181542.tif 000020
【図１３】
2014181542.tif 000021
【図１４】
2014181542.tif 000022
【図１５】
2014181542.tif 000023
【図１６】
2014181542.tif 000024